(57)【特許請求の範囲】
【請求項１】
フィンを下にして海面に浮いているボード上のサーファーがうつ伏せで波待をしている状態で、背面より来るスープの波を効果的に捉える事ができるボード最後部上部に取り付けた伸縮性素材でできた推進補助装置をとりつけたボードであって、上記推進補助装置は、その両端の接着部分をボード両サイドに裏面まで回り込ませて取り付ける事で、波を逃がす事なく取り込み、後ろから来るスープの波の瞬間的な圧力から、装置裂傷や剥離を防ぐ伸縮性素材でできたことを特徴とする推進補助装置をとりつけたボード。
【発明の詳細な説明】
【技術分野】
【０００１】
本発明は、小さな波でもパドリング不要で波に乗れる推進装置に関する。
【背景技術】
【０００２】
従来のサーフボードの推進補助装置としてのアタッチメントは特許文献１に記載されてるボード裏面に限定したものが提案されている。ボード裏面に軽量プレートで出来た波受けを取り付け、波の力をそのプレートで受け、またボードが反り返る事を止める為に先端部分に浮力材を付けサーフボードの先端部分が水面下に沈み込まない様にした装置で推進する。  
【０００３】
しかしながら、従来のサーフボード推進補助装置はボード裏面に限っており、体重が乗ったボードの水面下にフィンが位置しているため、推進装置としては波力を最大限利用するためには効果的ではないという欠点がある。この欠点は非特許文献１の水面を境界とした直上大気と直下水中の格子モデルと過去の現場実験の蓄積データを使った数値実験の時空間的波力分布の結果から明らかである。
【先行技術文献】
【特許文献】
【０００４】
【特許文献１】特開２００８−２３０３１５号公報
【非特許文献】
【０００５】
【非特許文献１】「Direct numerical simlation of wind-wave generation processes（風から波が発生する過程の直接的数値実験）」, M.-Y. Lin, C.-H. Moeng, W.-T. Tsai, P. P. Sullivan and S. E. Belcher, 2008年, Journal of Fluid Mechanics, vol. 616, pp. 1-30, Figure 16      ページ１６の１５行目（５章始まり）〜１９ページ１６行目（終わり）と図１６
【発明の概要】
【発明が解決しようとする課題】
【０００６】
本発明は、以上のような従来の欠点に鑑み、膝下程度の高さの「スープ」と言われる白波の力を、逃がさず受ける装置をボード最後部上部に取り付ける事で体力やサーフィン経験がない人でもパドリング無しで波の力を最大限利用し、波力に押し出される形で波に乗れる装置を提供する事を目的としている。
【課題を解決するための手段】
【０００７】
上記目的を達成するために、本発明はうつぶせに成って波待をしている状態で全身が完全に浮いているボードで、背面より来るスープをボード最後尾上部で捉える、伸縮性素材で出来た推進補助装置を提供する。
【発明の効果】
【０００８】
本発明は筋肉増強等の運動機能を作る時間が無いもしくは苦手であり、なかなか運動をする魅力を感じれない等の多くの人達が海に入りやすくなる事で、精神的も肉体的にもリラックスし健全になる為に、寝た状態で身体自体がボードに治まるファンボード、ロングボード等の形状を利用した遊べる、もしくは魅力的とは認知していなかったスープという存在を紹介出来る装置であり、誰でもが簡単に小さな波に押されて乗れる装置である。
【図面の簡単な説明】
【０００９】
【図１】は海での関係を説明しており、c１は後部より接近する膝下波を表している。
【図２】横からのb５の位置を説明している。
【図３】波はb１に入り最初の推進力と成る衝撃を与え次にb２を膨らませる事で２段回目の推進力を発生させる。
【図４】本発明b１とボードａ２、及び接着させるためのd1の拡大
【発明を実施するための形態】
【００１０】
(実施形態1)
以下、本発明の実施の形態を図に基づいて説明する。
図４に示すように、小さな波でもパドリング不要で波に乗れる推進装置b１はサーフボードa２後方上部にd１の透明テープを接着し、その上からb１を接着する事で伸縮性素材の持つ欠点である裂傷等の障害が生まれずらく、加えて使用するサーファーにも怪我を引き起こす可能性が低減出来る。またサーフボードもd１の保護膜下に有るので、上達した後はぎ取る事でボードの美観を損ねる事がない。
【００１１】
本発明にあっては次に列挙する（１）から（７）の効果が得られる。
（１）図１において身体が完全に浮いているサーフボードａ１の最後部ａ２にb１を置いてもまだ余裕を持たせた大きさの透明テープd１（図４）で構成されているので、a１との接着面の粘着性を増したb１は瞬間的に後部よりぶつかってくる波の力を反らしたり跳ね返さず、より効率的に受け込む事ができる。
したがって、小さな波でのその力を最大限活かす事で容易にボードが推進できる。
【００１２】
（２）前記（１）におけるb１はその素材を伸縮性の高い素材を用いる事で、一体型の形状を持ち、容易に市販サーフボードに取り付ける事ができ、自分の力量によりそのサイズを切り取る事ができる。
したがって、サーフィンの魅力を自分の成長に合わせてスキルアップする事ができる。
【００１３】
（３）前記（１）におけるb１は後部より瞬間的な力が加わる瞬間にb５（図２）分に強い圧力が掛かる為、b７（図２）及び、b８とb９（図３）の部位を厚めにすることで、強度を持たせている。
したがって、b１全体が自立し、波を受けやすくする事ができる。
【００１４】
（４）前記（１）におけるb１は伸縮性があり、またb２（図２）の部位が薄くなっているため、波が後ろから入った時に部分的に膨張し空間を拡げる事ができる。
したがって、後ろから入った波の推進力を衝突によって相殺する事無く、瞬時に小さな渦エネルギーに変換させ、ボードの推進力へ活かす事ができる。
【００１５】
（５）前記（１）におけるａ１（図１）のボードと乗っているサーファーを繋ぐリューシュコードは、b３（図２）の貫通した穴を通りサーファーとボードを繋ぐ事でb１の接触によるコードの損傷を防ぎ、また波による転倒時にもサーファーとボードの間で生まれるよじれによるねじ切り等の損傷も防ぐ事ができる。
【００１６】
（６）前記（１）におけるb１（図１）自体の形態はa１（図１）に接しているb６（図２、３）部分で接着していて、奥行きはb１０（図３）まで有り、真後ろからの波でb６がまくれない様に覆いかぶさる様になっている。この全体が接着されている事が伸縮するb２（図２）の力でa1から剥離しようとする力を押さえ込み、又全体が伸縮性素材である事で転倒時にぶつかったり、足元に引っかかる等の事故も予防できる。
【００１７】
（７）一般的に沖から岸へと繰り返し形成される波に、サファーはサーフボードと言う道具でサーフィンをする。しかしながら、この波のどこに推進する力が有るかを経験等でしか理解できていない。大きな高さの有る「うねり」と風で作られる「風波」とに分類されている波の力で生まれる斜面の傾斜角度や長さ、波の持つ押し出す力の相互関係を、経験から会得し乗りこなす事に歓びが生まれるものの、その運動能力が上達する事でより大きな波に乗れると云う事が重要視される循環が生まれている。又経験上、スープと言われる砕けた白波に押されボード上に寝た形で岸までたどり着ける事は周知の事だが、そのスープで走ってるボードの上に立ったとたんに失速しサーフィンは出来ない事もサーフィンを熟知している者には周知の事実だが、その根拠はなかなか理解はされていない。サーフボードの上に寝てる身体の体積をスープが押して推進力に成り、ボードの上に立った時点でこのスープはサーフボードの重さと表面積から生まれる浮揚力だけでは押し進める事が出来ずサーフボードは失速する事になる。
【００１８】
しかし、この波とのバランス遊びには経験が絶対的に必要だが、サーフィンに適した波を居住地や、波の発生時間等ですぐさま波に乗れる人はごく一部の人間に限られている。このことからやりたくても出来ない多くの人は状況的に諦める結果になってゆく。
【００１９】
そしてまた、初心者と経験豊富なサーファーとの間には、初心者の経験不足から起きる巻き添え事故等が有り、同じ領域で波を待っていても、初心者に対する嫌悪感が生まれる場合が有る。また初心者は大きな波に恐怖が有り、また経験豊かなサーファーは小さくすぐに潰れる膝から下の高さの波にはあまり興味を持たないし、ショートボードではこの大きさの波では乗る事も出来ない。この事から小さめの波は初心者が練習の為に乗ると言う配置配分が生まれている。
【産業上の利用可能性】
【００２０】
本発明によって自然の中で健康的に身体を動かすことに疎遠だった多くの人達が海に入りやすくなる事で、精神的も肉体的にもリラックスし健全になることが期待される。また、本発明は誰でもが簡単に小さな波に押されて乗れる装置であるため、寝た状態で身体自体がボードに治まるファンボード、ロングボード等の形状を利用した新しい遊びの提案、もしくは魅力的とは認知していなかったスープという存在の面白みを新たに紹介できる装置である。
【符号の説明】
【００２１】
a1   サーフボード
a2   フィン
b１  推進装置
b２  圧力受け
b３  リューシュコード取り口
b５  側面巻き込み位置
b６  最後部巻き込み位置
d１  透明テープ
b７  透明テープ
b８  補強部位
b９  補強部位
b１０  内部折り返し地点
【図１】
0005221737.tif 000002
【図２】
0005221737.tif 000003
【図３】
0005221737.tif 000004
【図４】
0005221737.tif 000005